(57)【特許請求の範囲】
【請求項１】
一方側の取付面部から他方側の環状リブの内側に通じる配管挿通孔を設けた配管取付部材と、配管挿通孔へ挿通し、取付面部の開口周縁にパッキンを介し又は介すことなく当接する一方側の環状フランジ及び他方側の雄螺子部を設けた配管と、配管の雄螺子部に他方側から螺着したナットを備え、配管取付部材は、取付面部に形成した配管挿通孔の開口周縁を配管中心線と直交させずに傾斜させると共に環状リブの端面を配管中心線と直交させ、配管挿通孔の開口周縁と環状リブの端面の間に緩み勝手側及び締り勝手側を形成し、配管の環状フランジ及び緊締したナットで取付面部の開口周縁及び環状リブの端面を挟圧保持した配管の取付構造であって、配管の環状フランジと雄螺子部との間の外側面の緩み勝手側及び締り勝手側に位置決め用面部を平行に設け、環状リブに外嵌して緩み勝手側へ向かう移動を環状リブで阻止し、配管を挿通させた開口周縁を環状リブ及びナットで挟圧保持させた位置決め用止め具を備え、位置決め用止め具に設けた平行な二つの位置決め片で、配管の二つの位置決め用面部を挟んだことを特徴とする配管取付部材へ挿通した配管の取付構造。
【請求項２】
前記配管取付部材は、前記環状リブ、前記配管挿通孔及び前記取付面部の開口周縁を二つずつ設け、各環状リブ及び各配管挿通孔へ挿通した前記配管及び前記ナットを二つずつ備え、一つの前記位置決め用止め具は、二つ一組の前記位置決め片の二組と、配管を挿通させた二つの開口周縁を設け、両方の環状リブに外嵌して二つの配管の緩み勝手側へ向かう移動を環状リブで阻止し、二つの開口周縁を二つの環状リブ及び二つのナットで挟圧保持させ、取付面部の二つの開口周縁及び二つの環状リブの端面に対する前記挟圧保持を二つの配管の環状フランジ及び二つのナットで行い、二つの配管の位置決め用面部を二組の位置決め片で挟んだ請求項１記載の配管取付部材へ挿通した配管の取付構造。
【発明の詳細な説明】
【技術分野】
【０００１】
本発明は、配管取付部材の配管挿通孔へ挿通した配管の取付構造であって、詳しくは、配管中心線と直交せずに傾斜した取付面部を有する配管取付部材に配管を取付ける構造に関する。
【背景技術】
【０００２】
従来、配管取付部材へ挿通した配管の取付構造は、図９に示す如く、浴槽エプロンからなる配管取付部材１０１の洗い場１側となる表面側の取付面部１０２から浴槽側となる裏面側へ配管１０３を通して取付けたものがある（特許文献１）。
【特許文献１】特許第２７１５８２４号公報
【０００３】
ところで、配管取付部材は、図１０に示す如く、取付面部２１を鉛直面部２４に対してθ度の角度で傾斜させたタイプ２０があり、この傾斜した取付面部２１へ配管を挿通して取付ける場合に、配管の長手方向の中心線（以下、「配管中心線」という。）を鉛直面部２４に対して直角にする要請があった。この要請に応える取付構造として、次の構造１１０が考えられる。
【０００４】
すなわち、配管取付部材２０は、取付面部２１から裏面側の環状リブ２２の内側へ通じる配管挿通孔２３を穿設して、取付面部２１に形成した配管挿通孔２３の開口周縁２１ａを配管中心線Ａと直交させずに（９０−θ）度の角度で傾斜させると共に、環状リブ２２の端面２２ａを配管中心線Ａと直交させてある。配管１１１は、取付面部２１の開口周縁２１ａにパッキン５０を介して当接面部３１ａを当接した表面側の環状フランジ３１及び裏面側の雄螺子部３２を設け、環状フランジ３１の当接面部３１ａを配管中心線Ａと（９０−θ）度の角度で傾斜させてある。配管１１１は、配管取付部材２０の表面側から配管挿通孔２３及び環状リブ２２の内側へ挿通され、雄螺子部３２に裏面側からナット５１が螺着され、取付面部２１及び環状リブ２２の端面２２ａをフランジ３１及びナット５１で挟圧保持して、配管取付部材２０に取付けられる。
【０００５】
この取付構造１１０においては、配管１１１を挿通し易くするために、配管挿通孔２３及び環状リブ２２の内径を配管１１１の外径よりも大きな寸法とし、配管挿通孔２３へ配管１１１を大きな隙間バメ状態で挿通させる。
【発明の開示】
【発明が解決しようとする課題】
【０００６】
しかし、取付構造１１０は、取付面部２１の開口周縁２１ａが配管中心線Ａと（９０−θ）度の角度で傾斜しているため、環状リブ２２の先端面２２ａから取付面部２１の開口周縁２１ａまでの配管中心線Ａに沿う間隔寸法Ｘが、取付面部２１の開口周縁２１ａに接する仮想平面から環状リブ２２の端面２２ａに接する仮想平面までの配管中心線Ａ上の間隔寸法Ｙよりも小さい側（「緩み勝手側」という。図１０中では下側。）と、大きい側（「締り勝手側」という。図１０中では上側。）とが形成される。
【０００７】
そのため、取付構造１１０は、取付けられた状態の配管１１１が、図１１に示す如く、締り勝手側から緩み勝手側へ向かう方向（「緩み勝手方向」という。）の外的力Ｆを受けたり、又は、ウォーターハンマーによる振動を生じたりして、配管１１１が緩み勝手側へ移動し、取付面部２１及び環状リブ２２に対する配管１１１のフランジ３１及びナット５１の挟圧保持力が緩み、配管１１１がガタ付いたりパッキン５０の止水を確保できなくなる問題を招くことがある。なお、上記問題は、洗面器やシンクのカウンター等の傾斜した取付面部へ配管を挿通して取付ける取付構造等にも生じるものである。
【０００８】
本発明は、上記問題を解決するために、配管が外的力を受けたり又は振動を生じたりしても、配管を緩み勝手側へ移動させることのない配管の取付構造の提供を目的とする。
【課題を解決するための手段】
【０００９】
配管中心線と直交しない傾斜した取付面部の有る配管取付部材に取付けた配管を緩み勝手側へ移動させない安定した配管の取付構造とするために請求項１に記載の発明が採用した手段は、一方側の取付面部から他方側の環状リブの内側に通じる配管挿通孔を設けた配管取付部材と、配管挿通孔へ挿通し、取付面部の開口周縁にパッキンを介し又は介すことなく当接する一方側の環状フランジ及び他方側の雄螺子部を設けた配管と、配管の雄螺子部に他方側から螺着したナットを備え、配管取付部材は、取付面部に形成した配管挿通孔の開口周縁を配管中心線と直交させずに傾斜させると共に環状リブの端面を配管中心線と直交させ、配管挿通孔の開口周縁と環状リブの端面の間に緩み勝手側及び締り勝手側を形成し、配管の環状フランジ及び緊締したナットで取付面部の開口周縁及び環状リブの端面を挟圧保持した配管の取付構造であって、配管の環状フランジと雄螺子部との間の外側面の緩み勝手側及び締り勝手側に位置決め用面部を平行に設け、環状リブに外嵌して緩み勝手側へ向かう移動を環状リブで阻止し、配管を挿通させた開口周縁を環状リブ及びナットで挟圧保持させた位置決め用止め具を備え、位置決め用止め具に設けた平行な二つの位置決め片で、配管の二つの位置決め用面部を挟んだことを特徴とする配管取付部材へ挿通した配管の取付構造である。
なお、緩み勝手側とは、環状リブの端面から取付面部の開口周縁までの配管中心線に沿う間隔寸法が、取付面部の開口周縁に接する仮想平面から環状リブの端面に接する仮想平面までの配管中心線上の間隔寸法よりも小さい側をいい、締り勝手側とは、大きい側をいう。
【００１０】
二つの配管の各雄螺子部にナットを螺着する際に位置決め用止め具及び配管がナットと一緒に共回りするのを阻止するために請求項２に記載の発明が採用した手段は、前記配管取付部材は、前記環状リブ、前記配管挿通孔及び前記取付面部の開口周縁を二つずつ設け、各環状リブ及び各配管挿通孔へ挿通した前記配管及び前記ナットを二つずつ備え、一つの前記位置決め用止め具は、二つ一組の前記位置決め片の二組と、配管を挿通させた二つの開口周縁を設け、両方の環状リブに外嵌して二つの配管の緩み勝手側へ向かう移動を環状リブで阻止し、二つの開口周縁を二つの環状リブ及び二つのナットで挟圧保持させ、取付面部の二つの開口周縁及び二つの環状リブの端面に対する前記挟圧保持を二つの配管の環状フランジ及び二つのナットで行い、二つの配管の位置決め用面部を二組の位置決め片で挟んだ請求項１記載の配管取付部材へ挿通した配管の取付構造である。
【発明の効果】
【００１１】
請求項１記載の本発明に係る配管取付部材へ挿通した配管の取付構造は、位置決め用止め具に設けた二つの位置決め片で、配管の二つの位置決め用面部を挟んで配管を緩み勝手側へ移動させないようにしてあるため、配管が外的力を受けたり又は振動を生じたりしても配管を緩み勝手側へ移動せずに安定した配管の取付状態を維持させることができる。
【００１２】
請求項２記載の本発明に係る配管取付部材へ挿通した配管の取付構造は、二つの環状リブに位置決め用止め具を回転しない状態で外嵌するので、各配管の雄螺子部に螺着するナットと一緒に位置決め用止め具が共回りするのを阻止できる。又、回転しない状態の位置決め用止め具が、二組の位置決め片で各配管の二つの位置決め用面部を挟んで配管を保持するので、配管の雄螺子部に螺着するナットと一緒に配管が共回りするのを阻止できる。
【発明を実施するための最良の形態】
【００１３】
本発明に係る配管取付部材へ挿通した配管の取付構造（以下、「本発明取付構造」という。）について実施の形態を示す図面に基いて説明する。
【００１４】
（第１の実施の形態）
図１〜図５は第１の実施の形態の本発明取付構造１０を示すものであり、図１は各構成部材を分離して示す斜視図、図２は配管取付部材２０及びパッキン５０を断面して示す側面図、図３は各構成部材を分離して示す側面図、図４は本発明取付構造１０の配管取付部材２０及びパッキン５０を断面して示す平面図である。図５は本発明取付構造１０に用いられる位置決め用止め具４０を示す斜視図であって、図（Ａ）は他方側の斜め上方から見たものであり、図（Ｂ）は一方側の斜め上方から見たものである。
【００１５】
本実施の形態の説明において、従来の取付構造の説明で既に用いた符号（例えば、２０，３１，３２，５０，５１等）と同一の符号を付した部材（配管取付部材２０，フランジ３１，雄螺子部３２，パッキン５０，ナット５１）は、従来の取付構造の説明で示したものと実質的に同一である。また、本実施の形態の説明において用いる「緩み勝手側」「締り勝手側」及び「緩み勝手方向」は、従来の取付構造の説明で定義した意味で用いる。
【００１６】
本発明取付構造１０の特徴とするところは、図２に示す如く、配管３０における環状フランジ３１と雄螺子部３２との間の外側面３４ａの緩み勝手側及び締り勝手側（本例では上下）に位置決め用面部３５，３６を平行に設け、更に、環状リブ２２に外嵌して緩み勝手側（本例では下側）へ向かう移動を環状リブ２２で阻止し、配管３０を挿通させた開口４１の周縁を環状リブ２２及びナット５１で挟圧保持させた位置決め用止め具４０を備え、位置決め用止め具４０に設けた平行な二つの位置決め片４２，４３で、配管３０の二つの位置決め用面部３５，３６を挟んだことである。
【００１７】
配管取付部材２０は、合成樹脂等からなり、配管挿通孔２３の内径が配管３０の外径よりも３〜７ｍｍ程度大きくなっており、配管３０に対して大きな隙間バメ状態となっている。配管取付部材２０は、前述の如く取付面部２１の開口周縁２１ａを配管３０の長手方向の中心線Ａ（以下、「配管中心線Ａ」という。配管中心線Ａは配管挿通方向Ｂと一致する。）と直交させずに（９０−θ）度の角度で傾斜した状態となっており、取付面部２１の開口周縁２１ａを鉛直面部２４に対してθ度の角度で傾斜させ、上側へ向かって進むに従って一方側へ向かって進むように上下方向に沿って傾斜させてある。取付面部２１は、上下方向に沿って傾斜させる以外に左右方向に沿って傾斜させる態様とすることもある。また、配管取付部材２０は、取付面部２１が完全に平面である図２の如く態様の他に、図示は省略するが若干湾曲して曲面となる態様も有る。パッキン５０は、樹脂等からなり、適度の弾性を有することで止水性を向上させたものを採用するとよいが、パッキン５０を設けない態様もある。
【００１８】
配管３０は、本例では、一方側に雄螺子部３３を、他方側に雄螺子部３２を設けてなり、二本のパイプを接合するための接合用配管アダプタとなっており、図７に示す如く、配管取付部材２０に取付けた後、一方側に水栓３へ連通する延長パイプ６が接合され、他方側に供給側へ連通する延長パイプ６が接合されるものであるが、これ以外に、一方側の水栓３から延びて配管取付部材２０を挿通するパイプを採用することもある。配管３０は、金属や樹脂等からなり、本例では、その外径が２０ｍｍ程度であり、互いが適宜間隔離れるように２本設けた態様である。
【００１９】
配管３０は、環状フランジ３１と雄螺子部３２との間に、緩み勝手方向と直交する方向（本例では水平方向）で雄螺子部３２よりも大径となる膨出部３４を設け、膨出部３４の外側面３４ａにおける緩み勝手側及び締り勝手側（本例では上下）に、緩み勝手方向と直交するように（本例では水平に）位置決め用面部３５，３６が設けられている。膨出部３４は、配管３０が取付けられると、配管挿通孔２３及び環状リブ２２の内側に配置され、位置決め用面部３５，３６が位置決め用止め具４０の位置決め片４２，４３で挟まれる。
【００２０】
位置決め用止め具４０は、一枚のステンレススチール鋼板等の金属板に孔加工と折曲げ加工を施して成形され又は合成樹脂素材で成形され、図５に示す如く、平板部４５に穿設され、配管３０の雄螺子部３２を挿通するための略小判形状等の二つの配管挿通孔４１と、各配管挿通孔４１の開口周縁の緩み勝手側（本例では下側）から一方側へ突出した位置決め片４２と、同開口周縁の締り勝手側（本例では上側）から一方側へ突出した位置決め片４３と、平板部４５の緩み勝手側の端縁及び締り勝手側の端縁から一方側へ突出し、二つの環状リブ２２の緩み勝手側及び締り勝手側を挟むようにして外嵌する外嵌片４４，４４を設けている。各位置決め片４２，４３は、緩み勝手方向と直交するように形成されており（本例では水平）、配管３０の位置決め用面部３５，３６に面接触して、配管３０の緩み勝手方向に沿った位置決めを行う。又、各位置決め片４２は、配管３０，３０の緩み勝手方向への移動を阻止する。
【００２１】
位置決め用止め具４０は、環状リブ２２，２２に回転しない状態で外嵌するので、ナット５１と一緒に位置決め用止め具４０が共回りするのが阻止され、又、回転しない状態の位置決め用止め具４０の位置決め片４２，４３で位置決め用面部３５，３６を挟んで配管３０を保持するので、ナット５１と一緒に配管３０が共回りするのを阻止できる。位置決め用止め具４０は、配管中心線Ａよりも緩み勝手側の形状と締り勝手側の形状が対称（本例では上下対称）に成形されており、取付時の方向性を問わないようにして容易に施工できるようにしてある。
【００２２】
本発明取付構造１０の施工は次の（１）〜（４）の手順で行われる。
（１）先ず、配管取付部材２０の環状リブ２２，２２に位置決め用止め具４０を外嵌片４４，４４で挟むように外嵌して装着する。この際、環状リブ２２，２２を外嵌片４４，４４が挟むので、装着した位置決め用止め具４０から手を離しても装着状態が維持され、装着後の施工が容易となる。
（２）続いて、取付面部２１の開口周縁２１ａと一方の配管３０との間にパッキン５０を配置させるようにして、配管３０を一方側から取付面部２１の配管挿通孔２３、環状リブ２２、位置決め用止め具４０の配管挿通孔４１へ順に挿通していき、配管３０の環状フランジ３１をパッキン５０を介して配管取付部材２０の取付面部２１に当接させる。
【００２３】
（３）そして、一方の配管３０の雄螺子部３２に他方側からナット５１を螺着して、取付面部２１の開口周縁２１ａ及び環状リブ２２の端面２２ａをパッキン５０及び位置決め用止め具４０を介してフランジ３１及びナット５１で挟圧保持して、一方の配管３０を配管取付部材２０に取付ける。前述の如く、この際、環状リブ２２，２２に位置決め用止め具４０を回転しない状態で外嵌するので、ナット５１と一緒に位置決め用止め具４０が共回りするのを阻止でき、又、回転しない状態の位置決め用止め具４０が、位置決め片４２，４３で位置決め用面部３５，３６を挟んで配管３０を保持するので、ナット５１と一緒に配管３０が共回りするのを阻止できる。
（４）更に、残った他方の配管３０についても、上記（２）（３）と同じ手順で、配管取付部材２０に取付けて施工を完了する。
【００２４】
本発明取付構造１０は、位置決め用止め具４０に設けた位置決め片４２，４３で、配管３０の位置決め用面部３５，３６を挟んで配管３０を緩み勝手方向へ移動させないようにしてあるため、配管３０が外的力（施工中に配管等に触れて加わる力等）を受けたり、又は、振動（ウォーターハンマー等）を生じたりしても配管３０を緩み勝手側へ移動せずに安定した配管３０の取付状態を維持させることができる。
【００２５】
なお、配管３０，３０どうしを離す方向はいずれであってもよく（例えば、図１の如く水平方向や図７の如く上下方向等）、配管設計の都合に合わせて決定できる。
【００２６】
（第２の実施の形態）
図６は、第２の実施の形態の本発明取付構造５５を示すものであり、各構成部材を分離して示す斜視図である。本実施の形態は、一本の配管３０を取付ける態様であり、環状リブ２２に設けた切欠き２２ｂに位置決め用止め具５６に設けた係止片４６を係止させてある。なお、環状リブ２２は、図１に示すような円形ではなく四角形等の多角形状に形成し、その外縁の辺のうち緩み勝手側及び締り勝手側に位置する２辺を位置決め用止め具４０の外嵌片４４，４４で外嵌するようにすれば、ナット５１を螺着する際に位置決め用止め具４０及び配管３０がナット５１と一緒に共回りするのを防ぐことができる。
【００２７】
（第３の実施の形態）
図７及び図８は本発明取付構造の第３の実施の形態を示すものであり、図７は浴槽エプロンからなる配管取付部材２０の右側に本発明取付構造１０を設けた浴室６０を破断して示す斜視図、図８は浴槽エプロンからなる配管取付部材２０の要部を拡大して中間省略した平面図であって、図（Ａ）は配管取付部材２０の左右側の各々に取付面部２１を形成すると共に各取付面部２１の配管挿通予定箇所６１の他方側に環状リブ２２を突設した状態を示すものであり、図（Ｂ）は右側の取付面部２１の配管挿通予定箇所６１に環状リブ２２の内側に通じる配管用挿通孔２３を穿設した状態を示すものであり、図（Ｃ）は右側の取付面部２１及び配管挿通孔２３を用いて第１の実施の形態の本発明取付構造１０を設け、左側の取付面部２１の配管挿通予定箇所６１を配管用挿通孔を開設することなく閉じたままにした状態を示すものである。
【００２８】
本実施の形態の特徴とするところは、図７に示す如く、配管取付部材２０に浴槽エプロンを採用し、図８（Ａ）に示す如く、配管取付部材２０の左右側の各々に取付面部２１を形成すると共に、各取付面部２１の配管挿通予定箇所６１の他方側に環状リブ２２を突設し、各環状リブ２２の端面２２ａを配管中心線Ａと直交するように形成し、図８（Ｂ）に示す如く、浴槽エプロンの製造工場又は施工現場にて、何れか一方（図８（Ｂ）では右側）の取付面部２１の配管挿通予定箇所６１に環状リブ２２の内側に通じる配管用挿通孔２３を穿設して、図８（Ｃ）に示す如く、第１の実施の形態の本発明取付構造１０を設け、他方（図８（Ｃ）では左側）の取付面部２１を配管用挿通孔２３を開設することなく閉じたままにしたことである。なお、図７及び図８において、第１の実施の形態の説明で既に用いた符号と同一の符号を付した部材は、第１の実施の形態で示した部材と実質的に同一である。
【００２９】
本発明取付構造６０は、上記構成を採用することで、図７に示す如く、右側の配管挿通予定箇所６１を穿設すると共に左側の配管挿通予定箇所６１を閉じた状態すれば、水栓３を取り付けるカウンター４を右側に設置する浴室に対応する浴槽エプロンを得ることができ、又、左側の配管挿通予定箇所６１を穿設すると共に右側の配管挿通予定箇所６１を開設することなく閉じた状態すれば、水栓３を取付けるカウンター４を左側に設置する浴室に対応する浴槽エプロンを得ることができる。本実施の形態では、本発明取付構造６０は、配管取付部材２０が前述の２タイプの浴室に対応できる共通の浴槽エプロンとなって、浴槽エプロンの共通化を図ることができる。
【産業上の利用可能性】
【００３０】
第１の実施形態の本発明構造１０及び第２の実施の形態の本発明構造５５は、図７に示す如く、前記配管取付部材２０として、一方側となる洗い場１側及び他方側となる浴槽２側の間に位置する浴槽エプロンを採用するものであるが、これ以外に、洗面器やシンクのカウンター等を採用することもできる。
【図面の簡単な説明】
【００３１】
【図１】第１の実施の形態の本発明取付構造１０を示すものであって、各構成部材を分離して示す斜視図であり、位置決め用止め具４０を断面して示すものである。
【図２】同実施の形態において、配管取付部材２０及びパッキン５０を断面して示す側面図である。
【図３】同実施の形態において、各構成部材を分離して示す側面図である。
【図４】同実施の形態において、配管取付部材２０及びパッキン５０を断面して示す平面図である。
【図５】同実施の形態において、本発明取付構造１０に用いられる位置決め用止め具４０を示す斜視図であって、図（Ａ）は他方側の斜め上方から見たものであり、図（Ｂ）は一方側の斜め上方から見たものである。
【図６】第２の実施の形態の本発明取付構造５５を示すものであって、各構成部材を分離して示す斜視図であり、位置決め用止め具５６を断面して示すものである。
【図７】本発明取付構造の第３の実施の形態を示すものであって、浴槽エプロンからなる配管取付部材２０の右側に本発明取付構造１０を設けた浴室６０を破断して示す斜視図である。
【図８】同実施の形態において、浴槽エプロンからなる取付部材の要部を拡大して中間省略した平面図であり、図（Ａ）は配管取付部材２０の左右側の各々に取付面部２１を形成すると共に各取付面部２１の配管挿通予定箇所６１の他方側に環状リブ２２を突設した状態を示すものであり、図（Ｂ）は右側の取付面部２１の配管挿通予定箇所６１に環状リブ２２の内側に通じる配管用挿通孔２３を穿設した状態を示すものであり、図（Ｃ）は右側の取付面部２１及び配管挿通孔２３を用いて第１の実施の形態の本発明取付構造１０を設け、左側の取付面部２１の配管挿通予定箇所６１を配管用挿通孔２３を開設することなく閉じたままにした状態を示すものである。
【図９】従来の配管の取付構造を示す全体斜視図である。
【図１０】従来の配管の取付構造を示す側面図である。
【図１１】従来の配管の取付構造を示す側面図であって、外的力Ｆが配管に加わって、配管が緩み勝手側に位置ズレした状態を示すものである。
【符号の説明】
【００３２】
１０…本発明取付構造  ２０…配管取付部材  ２１…取付面部  ２１ａ…開口周縁
２２…環状リブ  ２２ａ…端面  ２３…配管挿通孔  ３０…配管  
３１…環状フランジ  ３２…雄螺子部  ３４ａ…外側面  
３５，３６…位置決め用面部  ４０…位置決め用止め具  ４１…開口
４２，４３…位置決め片  ５０…パッキン  ５１…ナット
【図１】
0004933376.tif 000002
【図２】
0004933376.tif 000003
【図３】
0004933376.tif 000004
【図４】
0004933376.tif 000005
【図５】
0004933376.tif 000006
【図６】
0004933376.tif 000007
【図７】
0004933376.tif 000008
【図８】
0004933376.tif 000009
【図９】
0004933376.tif 000010
【図１０】
0004933376.tif 000011
【図１１】
0004933376.tif 000012